(57)【特許請求の範囲】
【請求項１】
直線状に延在する細溝と太溝とにより区画した、五角形以上の角数の、相互に独立した複数個の多角形ブロックを互いに密集させて配置してなるブロック群を、少なくとも一部に設けた空気入りタイヤにおいて、前記太溝の両端に、それぞれの細溝を連続させて形成し、前記太溝に隣接するブロックの外側に仮想した任意の投影面への太溝の投影線または投影点に対し、前記両細溝の少なくとも一方の、同様の投影線または投影点が重ならない位置にそれぞれの細溝を配設し、
ブロック群における多角形ブロックの基準ピッチ長さをＰ（ｍｍ）、ブロック群の幅をＷ（ｍｍ）としたとき、前記基準ピッチ長さＰと幅Ｗとで区画される、ブロック群の基準区域内に存在するブロックの個数をａ（個）、基準区域内のネガティブ率をＮ（％）とし、
【数１】
0005588432.tif 000009
で与えられる、ブロック群の単位実接地面積当たりのブロック個数密度Ｓを０．００３〜０．０４個／ｍｍ２の範囲内とし、
前記太溝の両端から延びる前記細溝は、トレッド周方向に対して傾斜しており、屈曲することなく直線状に延びて他の前記太溝に連通することを特徴とする空気入りタイヤ。
【請求項２】
トレッド踏面に、トレッド周方向に延びる一本以上の周溝を配設してなる請求項１に記載の空気入りタイヤ。
【請求項３】
トレッド踏面に、トレッド幅方向に延びる複数の横溝を配設してなる請求項１または２に記載の空気入りタイヤ。
【請求項４】
一のブロックを区画する溝が少なくとも三本の細溝を具えてなる請求項１〜３のいずれかに記載の空気入りタイヤ。
【請求項５】
太溝をトレッド幅方向またはトレッド周方向に延在させて、一のブロックの区画に寄与する細溝を三本以上設けてなる請求項１〜４のいずれかに記載の空気入りタイヤ。
【請求項６】
前記多角形ブロックをトレッド周方向に千鳥状に配置してなる請求項１〜５のいずれかに記載の空気入りタイヤ。
【請求項７】
細溝の溝幅が０．１〜２．０ｍｍの範囲である請求項１〜６のいずれかに記載の空気入りタイヤ。
【請求項８】
前記多角形ブロックの輪郭形状が八角形である、請求項１〜７のいずれかに記載の空気入りタイヤ。
【請求項９】
トレッド踏面に、トレッド幅方向に傾斜して延びる横溝をV字状に形成してなる、請求項１〜８のいずれかに記載の空気入りタイヤ。
【請求項１０】
V字状に形成された前記横溝が、タイヤ赤道面からトレッド幅方向の両端までそれぞれ直線状に延びてなる、請求項９に記載の空気入りタイヤ。
【発明の詳細な説明】
【技術分野】
【０００１】
本発明は、空気入りタイヤ、特には、溝により区画してなるブロックのブロック剛性を高めた空気入りタイヤに関するものである。
【背景技術】
【０００２】
従来の空気入りタイヤでは、例えば特許文献１に記載のように、トレッド部にトレッド周方向に直線状に延びる三本の主溝を設け、前記主溝間に、複数本の副溝によりブロックを多角形に形成して、路面に対する駆動性、制動性及び旋回性を高めることが広く一般に行われている。【０００３】
しかるに、このようなタイヤは一般に、排水性とブロック剛性を高めるために、溝幅の広い主溝と、溝幅の狭い副溝でブロックを形成するため、ブロックの倒れこみ変形が主溝を狭める方向に倒れ込み変形する場合、そのブロック壁面を隣接するブロックが支えることができずに、その倒れ込み変形量が多くなるおそれがあり、その結果、操縦安定性が低下するおそれがあった。一方、ブロックの倒れ込みを抑制するために、細溝のみでブロックを区画する場合には、排水性または吸水性が低下して、ウェット路面の操縦安定性が低下するおそれがあった。
【先行技術文献】
【特許文献】
【０００４】
【特許文献１】特開２００３−１５４８１３号公報
【発明の概要】
【発明が解決しようとする課題】
【０００５】
発明者は、主溝（太溝）の両端に連続する二本の副溝（細溝）により区画した多角形ブロックを設けた、従来のタイヤでは、ブロックの倒れ込み変形する方向と、それらの溝をブロックの外側の仮想の投影面への投影する方向が一致することになり、図１２に示すように、太溝のブロックの外側に仮想した任意の投影面上への、それぞれの細溝の投影線または投影点が、太溝の同様の投影線または投影点と重なり合って延在する場合には、ブロックの任意の倒れこみ変形を、隣接するブロックで支えることができないとの知見を得た。【０００６】
そこで、本発明は、特に、細溝と太溝により区画したブロック群を設けた空気入りタイヤにおいて、ブロックの倒れ込みを抑制させた空気入りタイヤを提供することにある。
【課題を解決するための手段】
【０００７】
この発明の空気入りタイヤは、直線状に延在する細溝と太溝とにより区画した、五角形以上の角数の、相互に独立した複数個の多角形ブロックを互いに密集させて配置してなるブロック群を、少なくとも一部に設けたものであって、前記太溝の両端に、それぞれの細溝を連続させて形成し、前記太溝に隣接するブロックの外側に仮想した任意の投影面への太溝の投影線または投影点に対し、前記両細溝の少なくとも一方の、同様の投影線または投影点が重ならない位置にそれぞれの細溝を配設し、
ブロック群における多角形ブロックの基準ピッチ長さをＰ（ｍｍ）、ブロック群の幅をＷ（ｍｍ）としたとき、前記基準ピッチ長さＰと幅Ｗとで区画される、ブロック群の基準区域内に存在するブロックの個数をａ（個）、基準区域内のネガティブ率をＮ（％）とし、
【数１】
0005588432.tif 000002
で与えられる、ブロック群の単位実接地面積当たりのブロック個数密度Ｓを０．００３〜０．０４個／ｍｍ２の範囲内とし、
前記太溝の両端から延びる前記細溝は、トレッド周方向に対して傾斜しており、屈曲することなく直線状に延びて他の前記太溝に連通することを特徴とするものである。
【０００８】
ここで、「細溝」とは、タイヤ転動時の接地面内で対向溝壁が相互に接触する溝をいい、一方「太溝」とは、接地面内で対向溝壁が相互に接触しない溝をいうものとする。
「太溝の両端」とは、太溝に隣接するブロックの辺のそれぞれの端で、その辺の接線に対して直角に引いた線分の位置をいうものとし、太溝に両側に隣接するそれぞれのブロックの対向辺の長さが異なる場合は、長い方の辺に対するものをいうものとする。
「投影面」とは、タイヤが生産され、使用される地域に有効な産業規格であって、日本ではＪＡＴＭＡ（日本自動車タイヤ協会）  ＹＥＡＲ  ＢＯＯＫ、欧州ではＥＴＲＴＯ（Ｅｕｒｏｐｅａｎ  Ｔｙｒｅ  ａｎｄ  Ｒｉｍ  Ｔｅｃｈｎｉｃａｌ  Ｏｒｇａｎｉｓａｔｉｏｎ）  ＳＴＡＮＤＡＲＤＳ  ＭＡＮＵＡＬ、米国ではＴＲＡ（ＴＨＥ  ＴＩＲＥ  ａｎｄ  ＲＩＭ  ＡＳＳＯＣＩＡＴＩＯＮ  ＩＮＣ．）ＹＥＡＲ  ＢＯＯＫ等に規定されたリムに、タイヤを組み付けて、ＪＡＴＭＡ等の規格にタイヤサイズに応じて規定された、最高空気圧を充填した状態で、太溝をブロック外側の任意の方向に投影する際の、この投影方向に対して直角となるものとする。
「両細溝の少なくとも一方の、同様の投影線または投影点が重ならない位置」とは、一方の細溝の投影点等が太溝の投影面等に重なることはあっても、他方の細溝は重ならないことを意味するものとする。【０００９】
このようなタイヤにおいてより好ましくは、トレッド踏面に、トレッド周方向に延びる一本以上の周溝、および／または、トレッド幅方向に延びる複数の横溝を配設する。
【００１０】
ここで、「周溝」は直線状の形態のみならず、ジグザグ形状、波線形状、湾曲形状、クランク状等の主溝の形態で延在させることもできる。
「横溝」とは、トレッド周方向の延在長さに比して、トレッド幅方向の延在長さが長い溝であって、トレッド周方向に対し鋭角または９０°をなす角度で傾斜するものをいい、直線状の形態のみならず、ジグザグ形状、波線形状、湾曲形状、クランク状等の溝の形態で延在させることもできる。また、この横溝はトレッド踏面全体に連続してＶ字状、矢筈状、ステップ状に形成することもできる。【００１１】
また好ましくは、一のブロックを区画する溝が少なくとも三本の細溝を具えてなるものである。
そしてまた好ましくは、太溝をトレッド幅方向またはトレッド周方向に延在させて、一のブロックの区画に寄与する細溝を三本以上設ける。【００１２】
ところで、ブロック群における多角形ブロックの基準ピッチ長さをＰ（ｍｍ）、ブロック群の幅をＷ（ｍｍ）としたとき、前記基準ピッチ長さＰと幅Ｗとで区画される、ブロック群の基準区域内に存在するブロックの個数をａ（個）、基準区域内のネガティブ率をＮ（％）とし、
【数１】
0005588432.tif 000003
で与えられる、ブロック群の単位実接地面積当たりのブロック個数密度Ｓを０．００３〜０．０４個／ｍｍ２の範囲とすることが好ましい。【００１３】
ここで、「ブロックの基準ピッチ長さ」とは、ブロック群を構成する一つのブロック列におけるブロックの繰り返し模様の最小単位を指すものとし、例えば一つのブロックとそのブロックを区画する溝によってパターンの繰り返し模様が規定されている場合は、ブロック一個分のトレッド周方向長さと、このブロックのトレッド周方向に隣接する溝一本分のトレッド周方向長さとを加算したものをブロックの基準ピッチ長さとする。なお、「ブロック群の基準区域内のブロックの個数ａ」は、ブロックが基準区域の内外に跨って存在し、一個として数えることができない場合は、ブロックの表面積に対する、基準区域内に残ったブロックの残存面積の比率を用いて数え、例えば、基準区域の内外に跨り、基準区域内にその半分しか存在しないブロックの場合は、１／２個と数えるものとする。【００１４】
「ブロック群の幅Ｗ」とは、ブロックを密集配置してなるブロック群のトレッド幅方向長さを指し、例えばブロック群がトレッド全体に存在する場合は、トレッド接地幅をいうものとする。ブロック群の「実接地面積」とは、ブロック群の基準区域内にある全ブロックの総表面積をいうものとし、すなわち、基準ピッチ長さＰと幅Ｗとの積で規定される、上記基準区域の面積から個々のブロックを区画している溝の面積を減算した面積をいうものとする。【００１５】
また好ましくは、前記多角形ブロックをトレッド周方向に千鳥状に配置する。
そしてまた好ましくは、細溝の溝幅が０．１〜２．０ｍｍの範囲とする。
【発明の効果】
【００１６】
本発明の空気入りタイヤでは、図１に示すように、太溝の両端から、それぞれの細溝を連続させて形成し、前記太溝に隣接するブロックの外側に仮想した任意の投影面への太溝の投影線または投影点に対し、前記両細溝の少なくとも一方の、同様の投影線または投影点が重ならない位置にそれぞれの細溝を配設することにより、タイヤ転勤時の接地面内でブロックが太溝を閉じるように変形する場合であっても、変形方向のいかんにかかわらず、そのブロックを隣接する少なくとも一のブロックが接触して支えることになるので、ブロックの倒れ込み変形を防止することができる。その結果、ドライ路面およびウェット路面での操縦安定性が向上する。【００１７】
また、トレッド部に太溝を設けることで、その太溝が接地時に、太溝内に水を保持して吸水性を向上させることができるとともに、太溝に隣接するブロックの変形を確保して接地性を向上させることができ、その結果操縦安定性を向上することができる。
【図面の簡単な説明】
【００１８】
【図１】本発明の空気入りタイヤの溝をブロックの外側に投影した状態を模式的に示す図である。
【図２】本発明の空気入りタイヤの一の実施形態を示すトレッドパターンの部分展開図である。
【図３】本発明の空気入りタイヤの他の実施形態を示すトレッドパターンの部分展開図である。
【図４】本発明の空気入りタイヤの他の実施形態を示すトレッドパターンの部分展開図である。
【図５】本発明の空気入りタイヤの他の実施形態を示すトレッドパターンの部分展開図である。
【図６】本発明の空気入りタイヤの他の実施形態を示すトレッドパターンの部分展開図である。
【図７】従来の空気入りタイヤのトレッドパターンの部分展開図である。
【図８】従来の空気入りタイヤのトレッドパターンの部分展開図である。
【図９】従来の空気入りタイヤのトレッドパターンの部分展開図である。
【図１０】従来の空気入りタイヤのトレッドパターンの部分展開図である。
【図１１】従来の空気入りタイヤのトレッドパターンの部分展開図である。
【図１２】従来の空気入りタイヤの溝をブロックの外側に投影した状態を模式的に示す図である。
【発明を実施するための形態】
【００１９】
以下に、図面を参照しながら本発明の空気入りタイヤを詳細に説明する。
図２は、本発明の空気入りタイヤの一の実施形態を示すトレッドパターンの部分展開図である。タイヤ内部の補強構造は、一般的なラジアルタイヤまたはバイアスタイヤのそれと同様であるので、図示を省略する。
【００２０】
図中１はトレッド踏面を示し、このトレッド踏面１には、トレッド幅方向に延在する複数の横長の直線状の太溝２と、この太溝２の端部からトレッド周方向に対して１０〜８０°の範囲で傾斜して四方向に延びる直線状の細溝３を配設する。図では、四本の太溝２と四本の細溝３で輪郭形状を八角形となるブロック４を区画し、これらブロック４を密集させてなるブロック群Ｇを形成し、このブロック群Ｇは、トレッド踏面１の全体に存在する。
ここでは、それぞれのブロック４をトレッド周方向に千鳥状に配置する。
【００２１】
ここで、それぞれの太溝２は、例えば、溝幅ＢＧＬを１．２〜１０ｍｍ、溝深さを２〜１１ｍｍの範囲とし、細溝３は、例えば、溝幅ＢＧＯを０．１〜１．２ｍｍ、溝深さを１〜１０ｍｍ、溝の延在長さを１〜１５ｍｍの範囲とする。また、ブロック４のトレッド周方向長さＢＬを５〜２５ｍｍ、トレッド幅方向長さＢＷを５〜２５ｍｍ、表面積を２５〜３３０ｍｍ２の範囲とし、トレッド幅方向に隣接するブロック間距離ＢＧＷを２．５〜１０ｍｍの範囲とすることができる。
【００２２】
ここでは、ブロック４の各形状は、それぞれの内角を９０°より大きくした八角形状であり、ブロック４の、太溝２側の側壁に隣接する側壁に面する溝は細溝３を形成するように配置されている。
【００２３】
このようなタイヤにあっては、ブロック群Ｇにおいて十分な溝面積を確保しつつ、ブロック４を密集配置する構成とすることで、それぞれのブロック４のトータルエッジ長さ及びエッジ方向（異なる方向に向いたエッジの数）を増大させ、優れたエッジ効果を発揮させることができる。また、ブロック４の大きさを小さくしたことから、ブロック一つ一つの接地性を向上させることができるので、氷上路面およびウェット路面等の摩擦係数μの低い路面での制動性と操縦安定性を向上することができる。しかも、それぞれのブロック４を小さくすることで、ブロック４の中央域からブロック周縁までの距離を小さくして、ブロック４による水膜の除去効果を向上させることができる。
【００２４】
そしてこの空気入りタイヤでは、太溝２の両端に、それぞれの細溝３を連続させて形成し、太溝２に隣接するブロック４の外側に仮想した任意の投影面への太溝２の投影線または投影点に対し、両細溝３の少なくとも一方の、同様の投影線または投影点が重ならない位置にそれぞれの細溝３を、図では太溝２のトレッド幅方向の延在長さを、太溝２の溝幅（トレッド周方向長さ）より長く配設して、ブロック剛性の低い小ブロック４を配置したタイヤであっても、ブロック４の倒れこみを抑制して、操縦安定性を向上させることができる。
【００２５】
このような空気入りタイヤにおいて好ましくは、一のブロック４を区画する溝が少なくとも三本の細溝３からなることで、ブロック４の倒れ込み変形を低減して、ドライ路面およびウェット路面での操縦安定性を向上させることができる。
【００２６】
また好ましくは、このタイヤは、ブロック群Ｇにおけるブロック４の基準ピッチ長さをＰ（ｍｍ）、ブロック群Ｇの幅をＷ（ｍｍ）（この実施形態では、トレッド部１の全体にブロック４が配置されているので、トレッド接地幅と等しい。）、基準ピッチ長さＰと幅Ｗとで区画される、ブロック群Ｇの基準区域Ｚ（図中斜線で示す領域）内に存在するブロック４の個数をａ（個）、基準区域Ｚ内のネガティブ率をＮ（％）としたとき、
【数２】
0005588432.tif 000004
として表される、ブロック群Ｇの単位実接地面積当たりのブロック個数密度Ｓ（個／ｍｍ２）、すなわち接地面積（溝分を除いた）中の単位面積（ｍｍ）当たり小ブロックが配置された部分のブロック個数は、０．００３〜０．０４個／ｍｍ２、好ましくは０．００３〜０．０３５個／ｍｍ２の範囲で形成する。
【００２７】
このような構成によれば、例えば従来のスタッドレスタイヤのｓ＝０．００２個／ｍｍ２以下の密度と比べ、本発明のタイヤは密度Ｓが増加し、優れた接地性及びエッジ効果の確保と、ブロック４による効率的な水膜の除去とを実現することにより、ブロック剛性とエッジ効果との両立をより高い次元で達成することができ、氷上性能を飛躍的に向上させることができる。
【００２８】
すなわち、Ｓが０．００３未満の場合には、ブロック４の表面積が大きくなり、トレッド踏面１の接地性を向上することができないおそれがあり、一方、Ｓが０．０４を超えると、ブロック４の一個あたりの表面積が小さくなり、サイプを配設しない場合であっても、所望のブロック剛性を実現が難しい傾向がある。
【００２９】
ところで、ブロック群Ｇのネガティブ率Ｎは５％〜５０％とすることが好ましく、この範囲とすることで、操縦安定性を向上させることができる。すなわち、ネガティブ率Ｎが５％未満の場合は、溝面積が小さ過ぎ排水性が不十分となる他、ブロック一つ一つの大きさが大きくなり過ぎて所要のエッジ効果の実現が難しくなるおそれがあり、一方、５０％を超えると接地面積が小さくなり過ぎて、操縦安定性が低下する傾向がある。
【００３０】
各ブロック４をトレッド周方向に千鳥状に配置することで、タイヤ転動時に、より多くのブロック４の形成下で、それぞれのエッジを逐次作用させて一層優れたエッジ効果を発揮させることができるとともに、トレッド幅方向に隣接するブロック４の相互間で路面への接地タイミングをずらすことができるので、パターンノイズを低減させることもできる。図２に示すようなタイヤでは、高負荷がかかった際に隣り合うブロック４の支え合いブロック剛性および氷上性能を向上させることができる。
【００３１】
ところで、細溝３の溝幅は、０．１〜２．０ｍｍの範囲とすることで、細溝３がブロック４の柔軟な接地性を確保しつつ、支えあうことができる。
【００３２】
すなわち、それが０．１ｍｍ未満ではブロック４の柔軟性が小さくなり、一方２．０ｍｍを超えると、隣接するブロック同士の支えあいがなくなりブロック剛性の低下する傾向がある。
【００３３】
図３は、本発明の空気入りタイヤの他の実施形態を示すトレッドパターンの部分展開図である。なお、先の図に示したタイヤと同様の要素には同一の符号を付し、その説明を省略する。
この実施形態では、太溝１２のトレッド周方向の延在長さを、太溝１２の溝幅（トレッド幅方向長さ）より長くする。この構成により、トレッド周方向の排水性を向上させるとともに、トレッド幅方向の延在長さを短くすることでパターンノイズを低減することができる。
【００３４】
図４は、本発明の空気入りタイヤの他の実施形態を示すトレッドパターンの部分展開図である。なお、先の図に示したタイヤと同様の要素には同一の符号を付し、その説明を省略する。
この実施形態では、トレッド踏面１に、トレッド周方向に延在する一本以上の周溝、図ではタイヤ赤道線付近に直線状に一本の周溝２２を配設する。この周溝２２とトレッド側縁との間にそれぞれのブロック列２３を区画する。
【００３５】
そのブロック列２３には、トレッド幅方向に延在する、図ではトレッド幅方向の延在長さを、溝幅（トレッド周方向長さ）より長い、複数の直線状の太溝２４と、この太溝２４の端部からトレッド周方向に対して１０〜８０°の範囲で傾斜して四方向に延びる直線状の細溝２５とを配設する。図では、四本の太溝２４と四本の細溝２５で輪郭形状を八角形となるブロック２６を区画し、これらブロック２６を密集させてなるブロック群Ｇを形成し、このブロック群Ｇは、トレッド踏面１の全体に存在する。
ここでは、それぞれのブロック２６をトレッド周方向に千鳥状に配置する。
【００３６】
ここで、周溝２２は、例えば、溝幅を３〜５０ｍｍ、溝深さを２〜１５ｍｍの範囲とし、それぞれの太溝２４は、溝幅ＢＧＬを１．２〜１０ｍｍ、溝深さを２〜１１ｍｍの範囲とし、細溝５は、例えば、溝幅ＢＧＯを０．１〜１．２ｍｍ、溝深さを１〜１０ｍｍ、溝の延在長さを１〜１５ｍｍの範囲とする。また、ブロック２６のトレッド周方向長さＢＬを５〜２５ｍｍ、トレッド幅方向長さＢＷを５〜２５ｍｍ、表面積を２５〜３３０ｍｍ２の範囲とし、トレッド幅方向に隣接するブロック間距離ＢＧＷを２．５〜１０ｍｍの範囲とすることができる。
【００３７】
このように、周溝２２を配設することにより、タイヤの前後方向の排水性と、操縦安定性とをうまく両立させることができる。
また、太溝２４を配設することにより、接地時に太溝２４内に水を保持しウェット路面の操縦安定性を向上させることができ、細溝２５を配設することにより、太溝を細溝と分断しない時と比較して、ブロック剛性の低下を低減して、ブロック２６の接地性を向上させることができる。
【００３８】
ここで、周溝２２は、例えば、溝幅を３〜５０ｍｍ、溝深さを２〜１５ｍｍの範囲とし、それぞれの太溝２４は、例えば、溝幅を２．５〜１０ｍｍ、溝深さを２〜１１ｍｍ、溝の延在長さを１．２〜１０ｍｍの範囲とし、細溝２５は、例えば、この太溝２４の端部からトレッド周方向に対して１０〜８０°の範囲で傾斜して配設することができる。
【００３９】
図５は、本発明の空気入りタイヤの他の実施形態を示すトレッドパターンの部分展開図である。なお、先の図に示したタイヤと同様の要素には同一の符号を付し、その説明を省略する。
この実施形態では、太溝３４のトレッド周方向の延在長さを、太溝３４の溝幅（トレッド幅方向長さ）より長くする。
この構成により、トレッド周方向の排水性を向上させるとともに、トレッド幅方向の延在長さを短くすることでパターンノイズを低減することができる。
【００４０】
ここで、周溝３２は、例えば、溝幅を３〜５０ｍｍ、溝深さを２〜１５ｍｍの範囲とし、それぞれの太溝３４は、例えば、溝幅を２．５〜１０ｍｍ、溝深さを２〜１１ｍｍ、溝の延在長さを１．２〜１０ｍｍの範囲とし、細溝３５は、例えば、この太溝３４の端部からトレッド周方向に対して１０〜８０°の範囲で傾斜して配設することができる。
【００４１】
図６は、本発明の空気入りタイヤの他の実施形態を示すトレッドパターンの部分展開図である。なお、先の図に示したタイヤと同様の要素には同一の符号を付し、その説明を省略する。
この実施形態では、トレッド幅方向に傾斜して延在する横溝４２を、タイヤ赤道面を中心としてトレッド踏面１にわたってＶ字状に形成する。この構成により、タイヤ側方への排水を行わせて、排水性と、操縦安定性とをうまく両立させることができる。
【００４２】
ここで、横溝４２は、例えば、溝幅を３〜２０ｍｍ、溝深さを２〜１５ｍｍ、溝の延在長さを２０〜３００ｍｍ、トレッド周方向に対して１０〜８０°の範囲で傾斜し、それぞれの太溝２４は、例えば、溝幅を２．５〜１０ｍｍ、溝深さを２〜１１ｍｍ、溝の延在長さを１．２〜１０ｍｍの範囲とし、細溝４５は、例えば、この太溝４４の端部からトレッド周方向に対して１０〜８０°の範囲で傾斜して配設することができる。
【００４３】
また好ましくは、太溝をトレッド幅方向またはトレッド周方向に延在させて、一のブロックの区画に寄与する細溝を三本以上設けることで、それに連続する細溝が傾斜して配置することになり、トレッド周方向のブロック剛性が増加し、ドライ路面およびウェット路面での操縦安定性を向上させることができる。
【００４４】
上記ブロック群Ｇをトレッド踏面またはブロック列全体に配置する場合には、特に氷路面の性能を向上させることができるが、例えば、トレッド踏面の一部にブロック群Ｇを配置して他の性能と両立することもできる。
【実施例１】
【００４５】
次に、図に示すような構造を有し、サイズが２０５／５５Ｒ１６のラジアルタイヤを試作し、表１に示すように、それぞれの諸元を変化させた実施例タイヤ１〜２および、比較例タイヤ１〜５とのそれぞれにつき、ドライ路面の操縦安定性、ウェット路面の操縦安定性および吸水性を測定した。なお、比較例タイヤは、トレッド部以外の構造については改変を要しないため、実施例タイヤに準ずるものとした。【００４６】
【表１】
0005588432.tif 000005
【００４７】
〔ドライ路面の操縦安定性〕
実施例タイヤ１，２および、比較例タイヤ１〜５とのそれぞれにつき、サイズ６．５Ｊ×１６のリムに組み付け、内圧２２０ｋＰａとして、車両に装着し、アスファルトのテストコースを各種走行モードで走行したときのテストドライバーによる制動性、加速性、直進性およびコーナリング性を総合的にフィーリング評価することによって行った。その評価結果を表２に示す。なお、表中の指数値は、比較例タイヤ１の値をコントロールとして求めたものであり、指数が大きいほど、ドライ路面の操縦安定性が優れていることを示す。【００４８】
〔ウェット路面の操縦安定性〕
実施例タイヤ１，２および、比較例タイヤ１〜５とのそれぞれにつき、サイズ６．５Ｊ×１６のリムに組み付け、内圧２２０ｋＰａとして、車両に装着し、濡れたアスファルト路面のテストコースを各種走行モードで走行したときのテストドライバーによる制動性、加速性、直進性およびコーナリング性を総合的にフィーリング評価することによって行った。その評価結果を表２に示す。
なお、表中の指数値は、比較例タイヤ１の値をコントロールとして求めたものであり、指数が大きいほど、ウェット路面の操縦安定性が優れていることを示す。【００４９】
〔吸水性〕
実施例タイヤ１，２および、比較例タイヤ１〜５とのそれぞれにつき、サイズ６．５Ｊ×１６のリムに組み付け、内圧２２０ｋＰａとして、車両に装着し、水深５ｍｍの湿潤路面を直線走行し、ハイドロプレーニング現象が発生する限界速度を測定し、その測定した限界速度から評価した。その評価結果を表２に示す。
なお、表中の指数値は、比較例タイヤ１の値をコントロールとして求めたものであり、指数が小さいほど、吸水性が優れていることを示す。【００５０】
【表２】
0005588432.tif 000006
【００５１】
表２の結果から、実施例タイヤ１，２は、比較例タイヤ１〜５に対して、ドライ路面の操縦安定性、ウェット路面の操縦安定性および吸水性を向上することができた。
【実施例２】
【００５２】
図に示すような構造を有し、サイズが２０５／５５Ｒ１６のラジアルタイヤを試作し、表３に示すように、それぞれの諸元を変化させた実施例タイヤ３〜５および、比較例タイヤ６〜８とのそれぞれにつき、ドライ路面の操縦安定性、ウェット路面の操縦安定性および吸水性を測定した。
なお、比較例タイヤは、トレッド部以外の構造については改変を要しないため、実施例タイヤに準ずるものとした。【００５３】
【表３】
0005588432.tif 000007
【００５４】
〔ドライ路面の操縦安定性〕
実施例タイヤ３〜５および、比較例タイヤ６〜８とのそれぞれにつき、サイズ６．５Ｊ×１６のリムに組み付け、内圧２２０ｋＰａとして、車両に装着し、アスファルトのテストコースを各種走行モードで走行したときのテストドライバーによる制動性、加速性、直進性およびコーナリング性を総合的にフィーリング評価することによって行った。その評価結果を表３に示す。
なお、表中の指数値は、比較例タイヤ６の値をコントロールとして求めたものであり、指数が大きいほど、ドライ路面の操縦安定性が優れていることを示す。【００５５】
〔ウェット路面の操縦安定性〕
実施例タイヤ３〜５および、比較例タイヤ６〜８とのそれぞれにつき、サイズ６．５Ｊ×１６のリムに組み付け、内圧２２０ｋＰａとして、車両に装着し、濡れたアスファルト路面のテストコースを各種走行モードで走行したときのテストドライバーによる制動性、加速性、直進性およびコーナリング性を総合的にフィーリング評価することによって行った。その評価結果を表４に示す。
なお、表中の指数値は、比較例タイヤ６の値をコントロールとして求めたものであり、指数が大きいほど、ウェット路面の操縦安定性が優れていることを示す。【００５６】
〔吸水性〕
実施例タイヤ３〜５および、比較例タイヤ６〜８とのそれぞれにつき、サイズ６．５Ｊ×１６のリムに組み付け、内圧２２０ｋＰａとして、車両に装着し、水深５ｍｍの湿潤路面を直線走行し、ハイドロプレーニング現象が発生する限界速度を測定し、その測定した限界速度から評価した。その評価結果を表４に示す。
なお、表中の指数値は、比較例タイヤ６の値をコントロールとして求めたものであり、指数が小さいほど、吸水性が優れていることを示す。【００５７】
【表４】
0005588432.tif 000008
【００５８】
表４の結果から、実施例タイヤ３〜５および、比較例タイヤ６〜８に対して、ドライ路面の操縦安定性、ウェット路面の操縦安定性および吸水性を向上することができた。
【符号の説明】
【００５９】
１  トレッド踏面
２，１２，２４，３４，４４  太溝
３，１３，２５，３５，４５  細溝
４，１４，２６，３６，４６  ブロック
２２，３２  周溝
２３，３３，４３  ブロック列
４２  横溝
Ｇ  ブロック群
Ｐ  ブロック群の基準ピッチ長さ
Ｗ  ブロック群の幅
Ｚ  基準区域
【図１】
0005588432.tif 000010
【図２】
0005588432.tif 000011
【図３】
0005588432.tif 000012
【図４】
0005588432.tif 000013
【図５】
0005588432.tif 000014
【図６】
0005588432.tif 000015
【図７】
0005588432.tif 000016
【図８】
0005588432.tif 000017
【図９】
0005588432.tif 000018
【図１０】
0005588432.tif 000019
【図１１】
0005588432.tif 000020
【図１２】
0005588432.tif 000021